(57)【要約】【課題】利用者が過去に作成したファイルを効率よく編集あるいは推敲できる文書編集システムを提供する。【解決手段】文書編集システムは、利用者の生体情報を測定する生体情報測定装置と、該生体情報測定装置から受信した生体情報に応じて該利用者が感じている緊張や不安の度合いを示す値である緊張値を算出する生体情報分析装置と、該利用者が有意な文字列を入力したときに緊張および不安を感じていた度合いを示す、該利用者に表示するための値である表示値を該文字列単位に該緊張値に基づいて算出し、該文字列と関連付けて該表示値を保存し、該文字列と関連付けて保存した表示値を該文字列とならべて表示し、該利用者が保存した文字列で構成される文書を再表示するとき、該文字列と関連付けて保存した表示値を該文字列とならべて表示する文書編集装置を有する。【選択図】図１
2010140238.tif 000002
【特許請求の範囲】
【請求項１】
利用者の生体情報を測定する生体情報測定装置と、
前記生体情報測定装置から受信した生体情報に応じて前記利用者が感じている緊張や不安の度合いを示す値である緊張値を算出する生体情報分析装置と、
前記利用者によって印字可能文字あるいは改行文字が入力されたタイミングで前記生体情報分析装置から前記緊張値を取得し、該利用者が該印字可能文字および該改行文字で構成される有意な文字列を入力したときに緊張および不安を感じていた度合いを示す、該利用者に表示するための値である表示値を該文字列単位に該緊張値に基づいて算出し、該文字列と関連付けて該表示値を保存し、該文字列と関連付けて保存した表示値を該文字列とならべて表示し、前記利用者が前記保存した文字列で構成される文書を再表示するとき、該文字列と関連付けて保存した表示値を該文字列とならべて表示する文書編集装置と、
を有する文書編集システム。
【請求項２】
前記文書編集装置は、
前記表示値をグラフで表示する請求項１記載の文書編集システム。
【請求項３】
利用者によって印字可能文字および改行文字が入力される入力装置と、
前記印字可能文字を表示する出力装置と、
前記利用者によって前記印字可能文字あるいは前記改行文字が入力されたタイミングで該利用者が感じている緊張や不安の度合いを示す値である緊張値を外部から取得し、該利用者が該印字可能文字および該改行文字で構成される有意な文字列を入力したときに緊張および不安を感じていた度合いを示す、該利用者に表示するための値である表示値を該文字列単位に該緊張値に基づいて算出し、該文字列と関連付けて該表示値を保存し、該文字列と関連付けて保存した表示値を該文字列とならべて前記出力装置に表示させ、前記利用者が前記保存した文字列で構成される文書を再表示するとき、該文字列と関連付けて保存した表示値を該文字列とならべて前記出力装置に表示させる情報処理部と、
前記文字列および前記表示値が保存される記憶装置と、
を有する文書編集装置。
【請求項４】
前記情報処理部は、
前記表示値をグラフで前記出力装置に表示させる請求項３記載の文書編集装置。
【請求項５】
利用者によって印字可能文字あるいは改行文字が入力されたタイミングで該利用者が感じている緊張や不安の度合いを示す値である緊張値を外部から取得し、
前記利用者が前記印字可能文字および前記改行文字で構成される有意な文字列を入力したときに緊張および不安を感じていた度合いを示す、該利用者に表示するための値である表示値を該文字列単位に前記緊張値に基づいて算出し、
前記文字列と関連付けて前記表示値を記憶装置に保存し、
前記文字列と関連付けて保存した表示値を該文字列とならべて出力装置に表示し、
前記利用者が前記保存した文字列で構成される文書を再表示するとき、該文字列と関連付けて保存した表示値を該文字列とならべて前記出力装置に表示する文書編集方法。
【請求項６】
前記表示値をグラフで前記出力装置に表示する請求項５記載の文書編集方法。
【請求項７】
利用者によって印字可能文字あるいは改行文字が入力されたタイミングで該利用者が感じている緊張や不安の度合いを示す値である緊張値を外部から取得させ、
前記利用者が前記印字可能文字および前記改行文字で構成される有意な文字列を入力したときに緊張および不安を感じていた度合いを示す、該利用者に表示するための値である表示値を該文字列単位に前記緊張値に基づいて算出させ、
前記文字列と関連付けて前記表示値を記憶装置に保存させ、
前記文字列と関連付けて保存した表示値を該文字列とならべて出力装置に表示させ、
前記利用者が前記保存した文字列で構成される文書を再表示するとき、該文字列と関連付けて保存した表示値を該文字列とならべて前記出力装置に表示させる処理をコンピュータに実行させるためのプログラム。
【請求項８】
前記表示値をグラフで前記出力装置に表示させるための請求項７記載のプログラム。
【発明の詳細な説明】
【技術分野】
【０００１】
本発明は文書編集システムおよび文書編集装置に関する。
【背景技術】
【０００２】
一般的に、文書編集システムでは、キーボードなどの入力装置を用いて文字データのファイルが作成および編集される。利用者は、作成したファイルをハードディスクなどに保存しておき、その後に所望のタイミングでハードディスクからファイルを読み出し、ファイルを編集しなおすことができる。
【０００３】
ファイルを保存してから再編集するまでに長時間が経過した場合、利用者は、ファイルを再編集するためにファイルを先頭から読み返し、内容を理解しなおす必要がある。また、作成したファイルがプログラムのソースファイルのように複雑な文書である場合、利用者は、同一箇所を何度も読み返す場合がある。
【０００４】
特許文献１には、編集情報の処理時にその時点の環境情報や履歴情報も同時に保存し、その編集情報を表示させる際には環境情報や履歴情報に応じて予め定められた表示形態で編集情報を表示させることにより、編集作業時の状況を的確に判断できる編集装置が提示されている。
【特許文献１】特開平９−８１５６３号公報
【発明の開示】
【発明が解決しようとする課題】
【０００５】
上述したような背景技術の文書編集システムでは、利用者が過去に作成したファイルを再編集あるいは推敲する際、注意すべき箇所がわかりづらいという問題がある。また、特許文献１の編集装置では、編集作業時の環境情報や履歴情報に応じた表示形態を利用者が予め定めておく必要があり、利用者が注意すべき箇所を細かく分類できず、再編集および推敲の効率が悪くなるおそれがある。
【０００６】
本発明の目的は、利用者が過去に作成したファイルを効率よく編集あるいは推敲できる文書編集システムを提供することである。
【課題を解決するための手段】
【０００７】
上記目的を達成するために、本発明の文書編集システムは、利用者の生体情報を測定する生体情報測定装置と、前記生体情報測定装置から受信した生体情報に応じて前記利用者が感じている緊張や不安の度合いを示す値である緊張値を算出する生体情報分析装置と、前記利用者によって印字可能文字あるいは改行文字が入力されたタイミングで前記生体情報分析装置から前記緊張値を取得し、該利用者が該印字可能文字および該改行文字で構成される有意な文字列を入力したときに緊張および不安を感じていた度合いを示す、該利用者に表示するための値である表示値を該文字列単位に該緊張値に基づいて算出し、該文字列と関連付けて該表示値を保存し、該文字列と関連付けて保存した表示値を該文字列とならべて表示し、前記利用者が前記保存した文字列で構成される文書を再表示するとき、該文字列と関連付けて保存した表示値を該文字列とならべて表示する文書編集装置を有する。
【発明の効果】
【０００８】
本発明によれば、利用者は、過去に作成したファイルを効率よく編集あるいは推敲できる。
【発明を実施するための最良の形態】
【０００９】
次に本発明について図面を参照して詳細に説明する。
【００１０】
（第１の実施の形態）
図１は第１の実施の形態の文書編集システムの構成を示すブロック図である。
【００１１】
図１に示すように、第１の実施の形態の文書編集システムは、文書編集装置１、生体情報測定装置２および生体情報分析装置３を有する。
【００１２】
生体情報測定装置２は、利用者の生体情報を測定する装置である。生体情報測定装置２としては、例えば、生体情報として脳波を測定する場合は脳波センサが用いられ、体温を測定する場合は温度センサが用いられ、発汗量を測定する場合は皮膚抵抗測定器が用いられる。
【００１３】
生体情報分析装置３は、生体情報測定装置２で取得した生体情報に応じて利用者が感じている緊張や不安の度合いを示す値（以降、緊張値と称す）を算出する装置である。
【００１４】
生体情報測定装置２および生体情報分析装置３の構成および緊張値の算出方法については、例えば特開２００６−３２０６２１号公報に記載されている。
【００１５】
例えば、脳波には、デルタ波（０．５〜４Ｈｚ）、シータ波（４〜８Ｈｚ）、アルファ波（８〜１４Ｈｚ）、ベータ波（１４〜３０Ｈｚ）の４種類の周波数帯があり、緊張状態ではベータ波が多く検出される。このため、生体情報として脳波を取得する場合、ベータ波の検出量に応じて緊張値は定められる。
【００１６】
また、緊張状態では、抹消血管が収縮するため体表面への動脈血の流入が少なくなり体温が低下する傾向がある。このため、生体情報として体温を取得する場合、体温の低下度に応じて緊張値は定められる。
【００１７】
また、緊張したり興奮したりすると、発汗が多くなり、皮膚抵抗は減少する傾向がある。このため、生体情報として発汗量を取得する場合、皮膚抵抗の減少度に応じて緊張値は定められる。
【００１８】
また、特開２００６−１５０４６号公報には、心電センサや筋電センサから心電信号および筋電信号を取得し、利用者の不快の度合いを算出する方法が記載されている。該利用者の不快の度合いを算出した値を緊張値として用いることもできる。
【００１９】
図２は第１の実施の形態の文書編集装置１の構成を示すブロック図である。
【００２０】
図２に示すように、第１の実施の形態の文書編集装置１は、情報処理部１１、記憶装置１２、生体情報インタフェース部１３、入力インタフェース部１４、入力装置１５、出力インタフェース部１６および出力装置１７を有する。
【００２１】
生体情報インタフェース部１３は、文書編集装置１と生体情報分析装置３を接続するために用いられる。
【００２２】
入力装置１５は、利用者によって入力された文字や記号（以降、入力文字と称する）を、入力インタフェース部１４を介して情報処理部１１に通知する。なお、入力文字には、アルファベット、日本語、数字および記号などのような印字可能文字ならびに複写、検索および保存などのように文書編集装置に特別な制御をさせるための制御文字がある。また、制御文字には、文書中の改行を意味する改行文字のように出力装置に表示されないが文書中で意味をもつ文字も含まれる。
【００２３】
出力装置１７は、出力インタフェース部１６を介して受信した情報処理部１１からの要求に応じて編集ファイルを表示する。
【００２４】
情報処理部１１は、利用者が印字可能文字および改行文字で構成される有意な文字列（以降、有意文字列と称する）を入力したときに緊張および不安を感じていた度合いを利用者に表示するための値（以降、表示値と称する）を算出する。なお、有意文字列としては、改行文字で区切られる段落および行、句点やピリオドで区切られる文、読点やカンマで区切られる文節などがある。
【００２５】
情報処理部１１は、入力装置１５から入力文字が通知されると、取得した入力文字が印字可能文字あるいは改行文字か否かを判別する。取得した入力文字が印字可能文字あるいは改行文字である場合、情報処理部１１は、生体情報インタフェース部１３を介して生体情報分析装置３に緊張値の取得を要求する。情報処理部１１は、生体情報分析装置３から緊張値を受信すると、受信した緊張値に基づいて表示値を算出する。表示値は、利用者が有意文字列を入力したときに緊張および不安を感じていた度合いを利用者に表示するための値であり、有意文字列ごとに算出される。情報処理部１１は、算出した表示値を有意文字列と関連付けて記憶装置１２に保存する。さらに、情報処理部１１は、出力装置１７に表示値を有意文字列とならべて表示させる。
【００２６】
記憶装置１２は、情報処理部１１からの要求に応じて有意文字列および表示値を記憶する。
【００２７】
次に図２に示した情報処理部１１の処理手順について図３のフローチャートを参照して説明する。
【００２８】
情報処理部１１は、処理を開始すると（ステップＳ１）、入力装置１５から入力文字が通知されるまで待機する（ステップＳ２）。
【００２９】
情報処理部１１は、入力装置１５から入力文字が通知されると、取得した入力文字に応じた処理を実施する（ステップＳ３）。例えば、取得した入力文字が印字可能文字である場合、情報処理部１１は、取得した入力文字を記憶装置１２に保存し、出力装置１７に取得した入力文字を表示させる。あるいは、取得した入力文字が制御文字である場合、その制御文字に応じた処理を実施する。ステップＳ３の処理は、一般的な文書編集装置が有する機能によって実施されるため、詳しい説明については割愛する。
【００３０】
次に、情報処理部１１は、緊張値の取得が必要か否かを判別する（ステップＳ４）。取得した入力文字が印字可能文字あるいは改行文字である場合、情報処理部１１は、ステップＳ５に移行し、緊張値を取得する。一方、取得した入力文字が印字可能文字でも改行文字でもない場合、情報処理部１１は、緊張値を取得せずにステップＳ２に移行し、再度、入力装置１５から入力文字が通知されるまで待機する。
【００３１】
情報処理部１１は、ステップＳ５に移行すると、生体情報インタフェース部１３を介して、生体情報分析装置３から緊張値を取得する。情報処理部１１は、生体情報分析装置３から緊張値を取得すると表示値を算出する（ステップＳ６）。表示値は、利用者が有意文字列を入力したときに緊張および不安を感じていた度合いを利用者に表示するための値であり、有意文字列ごとに緊張値に基づいて算出される。表示値として、有意文字列が入力されたときに取得した緊張値の平均値、最大値あるいは最小値などが用いられる。あるいは、改行文字、句点、ピリオド、読点およびカンマなどのように有意文字列の区切りを示す文字が入力されたときに取得した緊張値を代表値として表示値に用いてもよい。
【００３２】
つづいて、情報処理部１１は、算出した表示値を有意文字列と関連付けて記憶装置１２に保存する（ステップＳ７）。有意文字列が行であり、表示値として有意文字列が入力されたときに取得した緊張値の平均値を用いる場合の表示値の格納例を図４に示す。図４に示すように、表示値を格納する表示値テーブルは、要素として、行番号、表示値、取得した緊張値の累積値および緊張値を取得した回数を有する。取得した緊張値の累積値および緊張値を取得した回数は、平均値を算出するために用いられる。各要素は、有意文字列である行ごとに算出され、表示値テーブルに格納される。
【００３３】
また、情報処理部１１は、出力装置１７に表示値を表示させる（ステップＳ８）。なお、表示値は、数値もしくはグラフで表示される。有意文字列が行であり、表示値をグラフで表示する例を図５に示す。図５に示すように、表示値は、有意文字列である行ごとに有意文字列とならべて表示される。なお、図５には文書の例としてプログラムのソースコードを示したが、文書は一般的な文章であってもかまわない。文書が一般的な文章である場合、有意文字列は、段落、文あるいは文節などになる。
【００３４】
情報処理部１１は、出力装置１７に表示値を表示させると、ステップＳ２に移行し、再度、入力装置１５から入力文字が通知されるまで待機する。
【００３５】
また、文書編集装置１は、保存された文書を再編集あるいは推敲のために再表示する場合、記憶装置１２から有意文字列および図４に示した表示値テーブルを読み出す。文書編集装置１は、出力装置１７に有意文字列と関連付けて保存された表示値を有意文字列とならべて表示させる。
【００３６】
第１の実施の形態の文書編集装置は、有意文字列と関連付けて保存された表示値を有意文字列とならべて表示することにより、利用者が文書作成時に緊張および不安を感じていた箇所を明確にすることができる。また、表示値が数値もしくはグラフで表示されるため、利用者は、注意すべき箇所を細かく分類できる。文書作成者は、過去に作成したファイルを編集および推敲する際、作成時の緊張および不安の度合いを定量的に把握できるため、注意して編集および推敲すべき箇所を判別できる。また、文書作成者以外の第三者が該ファイルを査読する際、文書作成者の緊張および不安の度合いを定量的に把握できるため、注意して査読すべき箇所を判別できる。また、表示値がグラフで表示されることにより、利用者は、注意すべき箇所を視覚的に判別しやすくなる。これにより、利用者は過去に作成したファイルを効率よく編集および推敲できる。
【００３７】
（第２の実施の形態）
第１の実施の形態の情報処理部の処理はプログラムによって実現されても良い。
【００３８】
図６は第２の実施の形態の文書編集装置の構成を示すブロック図である。
【００３９】
図６に示すように、第２の実施の形態の文書編集装置１は、ＣＰＵ２１と、主記憶装置２２と、補助記憶装置２３と、記録媒体インタフェース装置２４と、記録媒体２５と、生体情報インタフェース部１３と、入力インタフェース部１４と、入力装置１５と、出力インタフェース部１６と、出力装置１７とを備え、それらが内部バス１７を介して接続される。
【００４０】
記録媒体２５には、第１の実施の形態の情報処理部の機能を実現するためのプログラムが記録される。記録媒体２５に記録されたプログラムはＣＰＵ２１によって記憶媒体インタフェース装置２４を介して主記憶装置２２に読み込まれる。ＣＰＵ２１は主記憶装置２２に読み込んだプログラムにしたがって処理を実行する。なお、記録媒体２５は、磁気ディスク、半導体メモリ、光ディスクあるいはその他の記録媒体であってもよい。また、主記憶装置２２は、有意文字列および表示値を記憶する。
【００４１】
なお、本発明の文書編集システムで作成するファイルは、利用者によってリアルタイムに文字が入力されるものであればどのようなファイルであっても構わない。例えば、表計算のためのファイルやデータベースのためのファイルについても利用できる。
【図面の簡単な説明】
【００４２】
【図１】第１の実施の形態の文書編集システムの構成を示すブロック図である。
【図２】第１の実施の形態の文書編集装置の構成を示すブロック図である。
【図３】図２に示した情報処理部の処理手順を示すフローチャートである。
【図４】表示値の格納例を示すテーブル図である。
【図５】表示値をグラフで表示する例を示す模式図である。
【図６】第２の実施の形態の文書編集装置の構成を示すブロック図である。
【符号の説明】
【００４３】
１  文書編集装置
２  生体情報測定装置
３  生体情報分析装置
１１  情報処理部
１２  記憶装置
１３  生体情報インタフェース部
１４  入力インタフェース部
１５  入力装置
１６  出力インタフェース部
１７  出力装置
２１  ＣＰＵ
２２  主記憶装置
２３  補助記憶装置
２４  記録媒体インタフェース部
２５  記録媒体
【図１】
2010140238.tif 000003
【図２】
2010140238.tif 000004
【図３】
2010140238.tif 000005
【図４】
2010140238.tif 000006
【図５】
2010140238.tif 000007
【図６】
2010140238.tif 000008